(57)【特許請求の範囲】
【請求項１】
太陽光発電装置の状態情報を収集するデータ収集装置において、
状態情報グループ基準が貯蔵された貯蔵部と、
前記状態情報を受信する受信部及び管理サーバに複数の状態情報グループを送信する伝送部を含む通信部と、
前記状態情報が受信されると、前記状態情報に含まれた多様な情報を前記状態情報グループ基準に応じて、前記複数の状態情報グループに区分してグループ化し、前記複数の状態情報グループのそれぞれを状態情報グループ毎に設定された伝送周期に応じて前記管理サーバに送信するように前記伝送部を制御する制御部と、を含み、
前記複数の状態情報グループは、前記太陽光発電装置の故障情報を含む第１状態情報グループ、前記太陽光発電装置の瞬時発電情報を含む第２状態情報グループ及び前記太陽光発電装置の累積発電情報を含む第３状態情報グループを含み、
前記第１状態情報グループの伝送周期は、前記第２状態情報グループの伝送周期より短く、前記第２状態情報グループの伝送周期は、前記第３状態情報グループの伝送周期より短く、
前記管理サーバは、複数のデータ収集装置と連結され、
前記制御部は、前記管理サーバと連結される他のデータ収集装置とのトラフィック衝突を避けるために、前記伝送周期に応じた伝送時点を前記他のデータ収集装置と異なるようにして、前記複数の状態情報グループが送信されるように前記伝送部を制御する、データ収集装置。
【請求項２】
前記第１状態情報グループに含まれる前記故障情報は、前記太陽光発電装置に含まれ、直流電力を交流電力に変換するインバータの故障可否に関する情報を含み、
前記第２状態情報グループに含まれる前記瞬時発電情報は、瞬時発電量、瞬時発電電力の電圧、瞬時発電電力の電流及び日射量のうち少なくともいずれか一つを含み、
前記第３状態情報グループに含まれる前記累積発電情報は、累積発電量及び構成品の累積使用日数のうち少なくともいずれか一つを含む、請求項１に記載のデータ収集装置。
【請求項３】
前記第１ないし第３状態情報グループそれぞれの状態情報伝送時点は、以前の伝送時点から、前記第１ないし第３状態情報グループそれぞれの伝送周期内で算出された無作為の値に当たる時間が経過したときである、請求項１に記載のデータ収集装置。
【発明の詳細な説明】
【技術分野】
【０００１】
本発明の技術分野は、太陽光発電装置に関するものである。
【背景技術】
【０００２】
石油など、化石エネルギーの枯渇と環境汚染に関する懸念のため代替エネルギーに関する関心が高まっている。その中でも太陽電池を付着したパネルを大規模に広げて太陽光エネルギーを利用し、電気を大規模に生産する発電である太陽光発電が脚光を浴びている。太陽光発電は無限で無公害の太陽光エネルギーを利用するため燃費がかからず、大気汚染や廃棄物の発生がない長所がある。
【０００３】
太陽光エネルギーの発電方式には独立型方式と系統連携型方式がある。独立型方式は、太陽光発電装置を系統に連結されていない独立した負荷に連結して使用する。系統連携型方式は、太陽光発電装置を従来の電力系統に連結して使用する。太陽光発電システムから昼に電気が発生すると送電し、夜や雨天の際には系統から電気を供給される。系統連携型太陽光発電システムを効率的に使用するために、軽負荷の際にはバッテリエネルギー貯蔵システム（Ｂａｔｔｅｒｙ  Ｅｎｅｒｇｙ  Ｓｔｏｒａｇｅ  Ｓｙｓｔｅｍ、ＢＥＳＳ）に遊休電力を貯蔵し、過負荷の際には太陽光発電電力だけでなくバッテリエネルギー貯蔵システムを放電して電力を系統に供給する形態の太陽光発電システムが導入されている。
【０００４】
このような太陽光発電装置の発電量は天気や時間など環境的要因に影響を大きく受ける。よって、このような環境的要因を継続的に感知する必要がある。また、太陽光発電装置は大量の太陽光を吸収するために比較的広い面積を必要とする。よって、太陽光発電装置は一般的な住居地域や太陽光発電装置を管理する管理者の勤務地域から遠く離れた遠隔地に位置することが多い。このような理由のため、太陽光発電装置は太陽光発電装置の状態を収集し外部に伝送するデータ収集装置（ｄａｔａ  ｌｏｇｇｅｒ）を含む。
【発明の概要】
【発明が解決しようとする課題】
【０００５】
本発明の一実施例は、太陽光発電装置の状態を効率的で正確に収集するデータ収集装置を提供する。
【課題を解決するための手段】
【０００６】
本発明の一実施例による太陽光発電装置の状態情報を伝送するデータ収集装置は、前記状態情報を区分する複数の状態情報グループそれぞれの状態情報伝送時点を判断する制御部と、太陽光発電装置から前記状態情報を受信して前記状態情報伝送時点に前記状態情報を伝送する通信部と、を含み、前記状態情報伝送時点は前記複数の状態情報グループそれぞれの伝送周期に基づくが、前記複数の状態情報グループそれぞれの伝送周期は互いに異なる。
【０００７】
前記複数の状態情報グループは、第１状態情報グループ及び第２状態情報グループを含み、前記第１状態情報グループの状態情報伝送周期は前記第２状態情報グループの伝送周期より短く、前記第１状態情報グループは前記太陽光発電装置のシステムの安定性に影響を及ぼす情報を含む。
【０００８】
この際、前記第１状態情報グループは前記太陽光発電装置の故障可否を含む。
【０００９】
また、前記第２状態情報グループは前記太陽光発電装置の瞬時発電情報を含む。
【００１０】
また、前記状態情報グループは第１状態情報グループ、第２状態情報グループ及び第３状態情報グループのうちいずれか一つであり、前記第１状態情報グループの伝送周期は前記第２状態情報グループの伝送周期より短く、前記第３状態情報グループの伝送周期は前記第２状態情報グループの伝送周期より長く、前記第１状態情報グループは前記太陽光発電装置のシステムの安定性に影響を及ぼす情報を含み、前記第２状態情報グループは前記太陽光発電装置の瞬時発電情報を含み、前記第３状態情報グループは前記太陽光発電装置の累積発電情報を含み、前記累積発電情報は累積発電量及び構成品の累積使用日数のうち少なくともいずれか一つを含む。
【００１１】
前記状態情報伝送時点は、前記伝送周期内で無作為の値を算出し前記無作為の値に基づいて決定されたものである。
【００１２】
本発明の一実施例による太陽光発電装置の状態情報を収集するデータ収集装置の動作方法は、前記状態情報を収集するステップと、前記状態情報を含む状態情報グループに基づく前記情報伝送時点に応じて前記状態情報を伝送するステップと、を含む。
【発明の効果】
【００１３】
本発明の一実施例は太陽光発電装置の状態を効率的で正確に収集するデータ収集装置を提供し、太陽光発電装置を効率的で精密に管理するようにする。
【図面の簡単な説明】
【００１４】
【図１】本発明の一実施例による太陽光発電装置のブロック図である。
【図２】本発明の一実施例による太陽光発電装置の動作を示すフローチャートである。
【図３】本発明の他の実施例による太陽光発電装置と太陽光発電装置に連結される管理サーバを示すブロック図である。
【図４】本発明の他の実施例による太陽光発電装置に連結されるデータ収集装置のブロック図である。
【図５】本発明の他の実施例による太陽光発電装置のセンシング部の動作を示すフローチャートである。
【図６】本発明の他の実施例による複数のデータ収集装置と管理サーバとの連結関系を示す図である。
【図７】本発明の他の実施例によってデータ収集装置が状態情報を管理サーバに伝送することを示す図である。
【図８】本発明の他の実施例によって状態情報を伝送するデータ収集装置の動作を示すフローチャートである。
【図９】本発明の他の実施例によってデータ収集装置が状態情報を管理サーバに伝送することを示す図である。
【図１０】本発明の他の実施例による状態情報を収集するデータ収集装置の動作を示すフローチャートである。
【発明を実施するための形態】
【００１５】
以下、添付した図面を参照して本発明の実施例について本発明が属する技術分野における通常の知識を有する者が容易に実施し得るように詳細に説明する。しかし、本発明は様々な互いに異なる形態に具現されてもよく、ここで説明する実施例に限定されることはない。そして、図面で本発明を明確に説明するために説明と関係のない部分は省略しており、明細書全体にわたって類似した部分については類似した図面符号を付けている。
【００１６】
また、ある部分がある構成要素を「含む」という際、これは特に反対される記載がない限り、他の構成要素を除外するのではなく他の構成要素を更に含むことを意味する。
【００１７】
以下、図１乃至図２を参照して本発明の一実施例による太陽光発電装置を説明する。
【００１８】
図１は、本発明の一実施例による太陽光発電装置のブロック図である。
【００１９】
本発明の一実施例による太陽光発電装置１００は、太陽電池アレイ１０１、インバータ１０３、交流フィルタ１０５、交流／交流コンバータ１０７、系統１０９、充電制御部１１１、バッテリエネルギー貯蔵システム１１３、システム制御部１１５及び負荷１１７を含む。
【００２０】
太陽電池アレイ１０１は複数の太陽電池モジュールを結合したものである。太陽電池モジュールは複数の太陽電池セルを直列または並列に連結して太陽エネルギーを電気エネルギーに変換して所定の電圧と電流を発生する装置である。よって、太陽電池アレイ１０１は太陽エネルギーを吸収して電気エネルギーに変換する。
【００２１】
インバータ１０３は直流電力を交流電力にインバーティングする。太陽電池アレイ１０１が供給した直流電力またはバッテリエネルギー貯蔵システム１１３が放電した直流電力を充電制御部１１１を介して供給されて交流電力にインバーティングする。
【００２２】
交流フィルタ１０５は交流電力にインバーティングされた電力のノイズをフィルタリングする。
【００２３】
交流／交流コンバータ１０７は交流電力を系統１０９と負荷１１７に供給するようにノイズがフィルタリングされた交流電力の電圧の大きさをコンバーティングし、電力を系統１０９と負荷１１７に供給する。
【００２４】
系統１０９とは多くの発電所、変電所、送配電線及び負荷が一体になって電力の発生及び利用が行われるシステムである。
【００２５】
充電制御部１１１はバッテリエネルギー貯蔵システム１１３の充電及び放電を制御する。系統１０９または負荷１１７が過負荷であれば、充電制御部１１１はバッテリエネルギー貯蔵システム１１３から電力を供給されて系統１０９または負荷１１７に電力を伝達する。系統１０９または負荷１１７が軽負荷であれば、充電制御部１１１は太陽電池アレイ１０１から電力を供給されてバッテリエネルギー貯蔵システム１１３に伝達する。
【００２６】
バッテリエネルギー貯蔵システム１１３は太陽電池アレイ１０１から電気エネルギーを供給されて充電し、系統１０９または負荷１１７の電力需給状況に応じて充電された電気エネルギーを放電する。詳しくは、系統１０９または負荷１１７が軽負荷であれば、バッテリエネルギー貯蔵システム１１３は太陽電池アレイ１０１から遊休電力を供給されて充電する。系統１０９または負荷１１７が過負荷であれば、バッテリエネルギー貯蔵システム１１３は充電された電力を放電して系統１０９に電力を供給する。系統の電力需給情報は時間帯別に大きい差を示す。よって、太陽光発電装置１００が太陽電池アレイ１０１が供給する電力を系統１０９の電力需給状況を考慮せずに一律的に供給することは非効率である。よって、太陽光発電装置１００はバッテリエネルギー貯蔵システム１１３を使用して系統１０９または負荷１１７の電力需給状況に応じて電力供給量を調節する。それによって、太陽光発電装置１００は系統１０９または負荷１１７に効率的に電力を供給することができる。
【００２７】
システム制御部１１５は充電制御部１１１とインバータ１０３、交流フィルタ１０５及び交流／交流コンバータ１０７の動作を制御する。
【００２８】
負荷１１７は電気エネルギーを供給されて消費する。
【００２９】
図２は、本発明の一実施例による太陽光発電装置の動作を示すフローチャートである。
【００３０】
太陽電池アレイ１０１は太陽エネルギーを電気エネルギーに変換する（Ｓ１０１）。
【００３１】
システム制御部１１５は系統１０９に電力供給が必要であるのかを判断する（Ｓ１０３）。系統１０９に電力供給が必要であるのか否かは、系統１０９が過負荷であるのか軽負荷であるのかを基準に判断する。
【００３２】
系統１０９に電力供給が必要ではなければ、システム制御部１１５は充電制御部１１１を制御してバッテリエネルギー貯蔵システム１１３を充電する（Ｓ１０５）。詳しくは、システム制御部１１５は充電制御部１１１を制御する制御信号を生成する。充電制御部１１１は制御信号を受信してバッテリエネルギー貯蔵システム１１３を充電する。
【００３３】
システム制御部１１５はバッテリエネルギー貯蔵システム１１３の放電が必要であるのかを判断する（Ｓ１０７）。太陽電池アレイ１０１が供給する電気エネルギーのみでは系統１０９の電力需要を充足することができず、バッテリエネルギー貯蔵システム１１３の放電が必要であるのかを判断する。また、システム制御部１１５はバッテリエネルギー貯蔵システム１１３が放電するほど十分は電気エネルギーを貯蔵しているのかを判断する。
【００３４】
バッテリエネルギー貯蔵システム１１３の放電が必要であれば、システム制御部１１５は充電制御部１１１を制御してバッテリエネルギー貯蔵システム１１３を放電する（Ｓ１０９）。詳しくは、システム制御部１１５は充電制御部１１１２を制御する制御信号を生成する。充電制御部１１１は制御信号を受信してバッテリエネルギー貯蔵システム１１３を放電する。
【００３５】
インバータはバッテリエネルギー貯蔵システム１１３が放電した電気エネルギーと太陽電池アレイ１０１が変換した電気エネルギーを交流にインバーティングする（Ｓ１１１）。この際、系統連携型太陽光発電装置１００はバッテリエネルギー貯蔵システム１１３が放電した電気エネルギーと太陽電池アレイ１０１が変換した電気エネルギーを全て一つのインバータ１０３を介してインバーティングする。各電気器具は使用可能な電力に限界がある。この限界には瞬間的な限界と長時間使用する際の限界があるが、長時間使用しても機器に損傷を与えずに無理なく使用可能な最大電力に定格電力を決定する。インバータ１０３の効率を最大化するために、バッテリエネルギー貯蔵システム１１３と太陽電池アレイ１０１はインバータ１０３がこのような定格電力の４０％から６０％程度の電力を使用するように電力を供給すべきである。
【００３６】
交流フィルタ１０５はインバーティングされた電力のノイズをフィルタリングする（Ｓ１１３）。
【００３７】
交流／交流コンバータ１０７はフィルタリングされた交流電力の電圧の大きさをコンバーティングし、電力を系統１０９または負荷１１７に供給する（Ｓ１１５）。
【００３８】
太陽光発電装置１００はコンバーティングされた電力を系統１０９または負荷１１７に供給する（Ｓ１１７）。
【００３９】
図１乃至図２の実施例による太陽光発電装置１００は、太陽光発電装置１００の管理者が現在の太陽光発電装置１００の状態または太陽光発電装置１００の周辺環境を知ることが難しい。特に、大量の太陽光を吸収するために比較的広い面積を必要とする太陽光発電装置は、一般的な住居地域や太陽光発電装置を管理する管理者の勤務地域から遠く離れた遠隔地に位置することが多い。よって、太陽光発電装置の状態と周辺環境を感知するセンシング部と、センシング部から太陽光発電装置１００の状態と太陽光発電装置１００の周辺環境の状態を示す情報を受信して外部に伝送するデータ収集装置が必要である。センシング部とデータ収集装置については図３乃至図９を介して説明する。
【００４０】
図３は、本発明の他の実施例による太陽光発電装置と太陽光発電装置に連結される管理サーバを示すブロック図である。
【００４１】
本発明の他の実施例による太陽光発電装置３００は、太陽電池アレイ３０１、インバータ３０３、交流フィルタ３０５、交流／交流コンバータ３０７、系統３０９、充電制御部３１１、バッテリエネルギー貯蔵システム３１３、システム制御部３１５、負荷３１７、センシング部３１９及びデータ収集装置３３０を含む。
【００４２】
太陽電池アレイ３０１は太陽エネルギーを吸収して電気エネルギーに変換する。
【００４３】
インバータ３０３は直流電力を交流電力にインバーティングする。太陽電池アレイ３０１が供給した直流電力またはバッテリエネルギー貯蔵システム３１３が放電した直流電力を充電制御部３１１を介して供給されて交流電力にインバーティングする。
【００４４】
交流フィルタ３０５は交流電力にインバーティングされた電力のノイズをフィルタリングする。
【００４５】
交流／交流コンバータ３０７は交流電力を系統３０９と負荷３１７に供給するようにノイズがフィルタリングされた交流電力の電圧の大きさをコンバーティングし、電力を系統３０９と負荷３１７に供給する。
【００４６】
系統３０９とは多くの発電所、変電所、送配電線及び負荷が一体になって電力の発生及び利用が行われるシステムである。
【００４７】
充電制御部３１１はバッテリエネルギー貯蔵システム３１３の充電及び放電を制御する。充電制御部３１１の具体的な動作は上述した図１の実施例と同じである。
【００４８】
バッテリエネルギー貯蔵システム３１３は太陽電池アレイ３０１から電気エネルギーを供給されて充電し、系統３０９または負荷３１７の電力需給状況に応じて充電された電気エネルギーを放電する。バッテリエネルギー貯蔵システム３１３の具体的な動作は上述した図１の実施例と同じである。
【００４９】
システム制御部３１７は充電制御部３１１とインバータ３０３、交流フィルタ３０５及び交流／交流コンバータ３０７の動作を制御する。
【００５０】
負荷３１７は電気エネルギーを供給されて消費する。
【００５１】
センシング部３１９は太陽光発電装置３００の状態及び太陽光発電装置３００の周辺環境のうち少なくともいずれか一つを感知する。詳しくは、センシング部３１９は太陽光発電装置３００が生産する電力の電圧、太陽光発電装置３０が位置するところの日射量、太陽光発電装置３００が位置するところの温度及び太陽光発電装置３００内の温度のうち少なくともいずれか一つを感知する。よって、センシング部３１９は複数のセンサを含む。詳しくは、センシング部３１９は日射量センサ、温度センサ及び電圧センサのうち少なくともいずれか一つを含む。具体的な実施例において、複数のセンサのうち一部はインバータ３０３に連結されて太陽光発電装置３００の状態を感知する。例えば、センシング部３１９が含む複数のセンサはインバータ３０３に連結されて太陽光発電装置３００が生産する電力の電圧を感知する。詳しくは、センシング部３１９はインバータ３０３から電力の生産及び伝送に関する情報を受信する。
【００５２】
データ収集装置３３０はセンシング部３１９から太陽光発電装置３００の状態及び太陽光発電装置３００の周辺環境のうち少なくともいずれか一つを示す状態情報を受信し、外部の管理サーバ３５０に伝送する。
【００５３】
太陽光発電装置３００の管理者は管理サーバ３５０に伝送された状態情報を介して太陽光発電装置３００の異常可否と発電状態を確認する。詳しくは、太陽光発電装置３００の管理者は日射量に比べ発電量が少なければ太陽光発電装置３００の故障可否を疑う。それによって、太陽光発電装置３００の管理者は太陽光発電装置３００を点検する。他の具体的な実施例において、太陽光発電装置３００が生産した電力の品質がよくなければ、太陽光発電装置３００の管理者は太陽光発電装置３００に必要な構成の交換周期を判断する。また他の実施例において、太陽光発電装置３００の管理者は太陽光発電装置３００の温度が過度に高いか太陽光発電装置３００の周辺温度が過度に高い場合、太陽光発電装置３００の動作を一定時間停止する。更に他の具体的な実施例において、系統３０９に供給した電力によって太陽光発電装置３００の所有者が収益を得る場合、データ収集訴追３３０が伝送した情報は収入に関する根拠になる。詳しくは、他の日より太陽光発電装置３００の電力供給量が少なくて収入が少なく算定された場合、太陽光発電装置３００の所有者はデータ収集装置３３０から伝送された日射量が少ないことから発電量が少なかった理由を確認する。このように、センシング部３１９とデータ収集装置３３０は太陽光発電装置３００の装置を効率的に管理しメンテナンスするようにする。
【００５４】
図４は、本発明の他の実施例による太陽光発電装置に連結されるデータ収集装置のブロック図である。
【００５５】
データ収集装置３３０は制御部３３１、通信部３３３及び貯蔵部３３５を含む。
【００５６】
制御部３３１はデータ収集装置３３０の動作を制御する。
【００５７】
通信部３３３はセンシング部３１９から太陽光発電装置３００の状態及び太陽光発電装置３００の周辺環境の状態のうち少なくともいずれか一つを示す状態情報を受信する。また、通信部３３３は太陽光発電装置３００の状態情報を管理サーバ３５０に伝送する。この際、通信部３３３はセンシング部３１９から太陽光発電装置３００の状態及び太陽光発電装置３００の周辺環境の状態のうち少なくともいずれか一つを示す状態情報を収集する受信部を含む。また、通信部３３３は太陽光発電装置３００の状態情報を管理サーバ３５０に伝送する伝送部を含む。
【００５８】
貯蔵部３３５はデータ収集装置３３０の動作に必要な情報を貯蔵する。詳しくは、貯蔵部３３５は太陽光発電装置３００状態及び周辺環境の状態のうち少なくともいずれか一つを示す状態情報を含む状態情報グループを区分する状態情報グループ基準を貯蔵する。この際、制御部３３１は状態情報を貯蔵された状態情報グループの基準に応じて状態情報が含まれる状態情報グループを区分する。
【００５９】
図５は、本発明の他の実施例による太陽光発電装置のセンシング部の動作を示すフローチャートである。
【００６０】
センシング部３１９は太陽光発電装置３００の状態及び太陽光発電装置３００の周辺環境の状態のうち少なくともいずれか一つを感知する（Ｓ３０１）。上述したように、センシング部３１９は太陽光発電装置３００が生産する電力の電圧、太陽光発電装置３００が位置するところの日射量、太陽光発電装置３００が位置するところの温度及び太陽光発電装置３００内の温度のうち少なくともいずれか一つを感知する。
【００６１】
センシング部３１９は太陽光発電装置３００の状態及び太陽光発電装置３００の周辺環境の状態のうち少なくともいずれか一つを示す状態情報を伝送する（Ｓ３０３）。詳しくは、センシング部３１９は太陽光発電装置３００の状態及び太陽光発電装置３００の周辺環境の状態のうち少なくともいずれか一つを示す状態情報をデータ収集装置３３０に伝送する。具体的な実施例において、センシング部３１９はインバータ３０３に連結される。この際、センシング部３１９はインバータ３０３から電力生産に関する情報を受信する。詳しくは、電力生産に関する情報は瞬時発電量、瞬時発電電力の電圧、瞬時発電電力の電流のうち少なくともいずれか一つを含む瞬時発電に関する情報のうちいずれか一つである。また、電力生産に関する情報は発電履歴に関する累積電力量を含む発電履歴に関する情報である。
【００６２】
図６は、本発明の他の実施例による複数のデータ収集装置と管理サーバとの連結関系を示す図である。
【００６３】
管理サーバ３５０は複数のデータ収集装置３３０からそれぞれのデータ収集装置３３０が受信した状態情報を受信する。複数の太陽光発電装置３００の所有者または管理者は一つの管理サーバ３８０にアクセスして複数の太陽光発電装置３００の状態、発電履歴などを確認する。管理サーバ３５０に連結されるデータ収集装置３３０の数が多いほど初期設置費及びメンテナンス費を節減することができる。但し、過度に多い複数のデータ収集装置３３０が管理サーバ５０に状態情報を伝送する場合、データ収集装置３３０から伝送される状態情報の量が多くなる。そのため、通信回線の混雑が引き起こされる恐れがある。また、管理サーバ３５０が連結される通信回線の帯域幅が狭い場合、管理サーバ３５０に連結可能なデータ収集装置３３０の数は制限的である。よって、管理サーバ３５０の通信回線の混雑を最小化しながら多くのデータ収集装置３３０を一つの管理サーバ３５０に連結するデータ収集装置３３０が必要である。
【００６４】
図７は、本発明の他の実施例によってデータ収集装置が状態情報を管理サーバに伝送することを示す図である。
【００６５】
データ収集装置３３０は伝送周期ごとに管理サーバ３５０に状態情報を伝送する。この際、伝送周期は状態情報伝送の基礎となる時間間隔を示す。詳しくは、データ収集装置３３０は一定な伝送周期ごとに管理サーバ３５０に状態情報を伝送する。具体的な実施例において、同じ管理サーバ３５０にアクセスする他のデータ収集装置３３０とのトラフィック衝突を避けるために、同じ管理サーバ３５０にアクセスする複数のデータ収集装置３３０それぞれは同じ伝送周期を有してもデータ伝送時点を異なるようにしてもよい。例えば、同じ管理サーバ３５０に状態情報を伝送する第１データ収集装置と第２データ収集装置が存在する。この際、第１データ収集装置と第２データ収集装置は全て同じ伝送周期である１時間ごとに状態情報を伝送する。但し、第１データ収集装置は毎時３０分に状態情報を伝送し、第２データ収集装置は毎時定刻に状態情報を伝送する。それを介し、複数のデータ収集装置は同じ伝送周期に合わせて状態情報を伝送してもトラフィック衝突を避け回線の混雑を最小化することができる。
【００６６】
図８は、本発明の他の実施例によって状態情報を伝送するデータ収集装置の動作を示すフローチャートである。
【００６７】
データ収集装置３３０の制御部３３１は現在の時間が状態情報を伝送する伝送周期に基づいた伝送時点に当たるのかを判断する（Ｓ５０１）。この際、伝送周期は上述したように一定値であってもよい。また、同じ管理サーバ３５０に連結される複数のデータ収集装置３３０それぞれは同じ伝送周期を有してもよい。また、上述したように同じ伝送周期を有しても同じ管理サーバ３５０に連結される複数のデータ収集装置３３０それぞれは状態情報を伝送するデータ伝送時点を異なるようにして通信回線の混雑を避ける。
【００６８】
現在の時間が状態情報を伝送する伝送周期に基づく伝送時点に当たる場合、データ収集装置３３０の通信部３３３は管理サーバ３５０に状態情報を伝送する。
【００６９】
上述したように、状態情報は太陽光発電装置３００の状態及び太陽光発電装置３００の周辺環境の状態のうち少なくともいずれか一つを示す。よって、状態情報は多様な特性を有する情報を含む。例えば、状態情報は太陽光発電装置３００の故障発生可否及び太陽光発電装置３００の内部温度を含む。詳しくは、インバータ３０３の故障がこれに当たる。また、状態情報は太陽光発電装置３００の発電履歴を含む。詳しくは、状態情報は太陽光発電装置３００の累積発電量を含む。また、状態情報は瞬時発電情報を含む。詳しくは、瞬時発電量、瞬時発電電力の電圧、瞬時発電電力の電流及び日射量のうち少なくともいずれか一つを含む。
【００７０】
このような情報の特性はそれぞれである。瞬時発電量のように時々刻々変わる情報もあれば、故障発生のように異常情報が伝送されると直ちに対応すべき情報もある。また、累積発電量のようによく変わらないか頻繁に確認する必要がない情報もある。よって、状態情報が含む情報を一定条件下で分類して互いに異なる伝送周期に応じて伝送する場合、データ収集装置は通信回線の混雑を防止し、通信回線の限定された帯域幅を効率的に使用することができる。それについては図９乃至図１０を介して説明する。
【００７１】
図９は、本発明の他の実施例によってデータ収集装置が状態情報を管理サーバに伝送することを示す図である。
【００７２】
上述したように、状態情報が含む情報の特性は多様である。データ収集装置３３０は状態情報を含む状態情報グループに基づく伝送時点に応じて状態情報を伝送する。詳しくは、データ収集装置３３０は制御部３３１を介してこのような多様な情報を複数のグループに区分する。特に、データ収集装置３３０は状態情報グループを区分する状態情報グループ基準に応じて多様な情報を複数のグループに区分する。具体的な実施例において、貯蔵部３３５は状態情報グループ基準を含む。また、データ収集装置３３０は通信部３３３を介して複数のグループそれぞれの特性に基づく互いに異なる伝送周期に基づいてそれぞれのグループに属する状態情報を伝送する。詳しくは、データ収集装置３３０は重要な情報を短い伝送周期に頻繁に伝送する。また、データ収集装置３３０は相対的により重要ではないが頻繁に変わる情報を少し大きい周期に伝送する。また、データ収集装置３３０は相対的に変化速度が遅いかより重要ではない情報に対してはより大きい周期に伝送する。例えば、状態情報を第１グループ、第２グループ及び第３グループに区分する。第１グループの伝送周期は第２グループより短い。第２グループの伝送周期は第３グループの伝送周期より短い。具体的な実施例において、第１伝送周期に当たる場合には状態情報を受信すると直ちに伝送する。この際、第２伝送周期は３０分である。また、第３伝送周期は１日である。よって、第１グループは最も重要な情報を含む。例えば、第１グループはシステムの安定性に影響を及ぼす情報を含む。詳しくは、第１グループは故障発生可否を含む。第２グループは頻繁に変化する情報を含む。詳しくは、第２グループは瞬時発電情報を含む。例えば、第２グループは瞬時発電電圧、瞬時発電電流、瞬時発電量及び日射量のうち少なくともいずれか一つを含む。また、第３グループは相対的により重要ではないか変化が少ない情報を含む。詳しくは、第３グループは累積発電情報を含む。例えば、第３グループは累積発電量、構成品の累積使用日数のうち少なくともいずれか一つを含む。
【００７３】
具体的な実施例において、データ収集装置３３０は通信部３３３を介して複数のグループそれぞれの特性に基づいた互いに異なる伝送周期ごとにそれぞれのグループに属する状態情報を伝送する。他の具体的な実施例において、データ収集装置３３０は通信部３３３を介して複数のグループそれぞれの特性に基づいた互いに異なる伝送周期内の無作為（ｒａｎｄｏｍ）の値を算出し、算出した無作為の値に基づいてそれぞれのグループに属する状態情報を伝送する。例えば、伝送周期が１０分であれば無作為に算出する値は０分から１０分以下である。この際、データ収集装置３３０は伝送周期が到達する時点から無作為に算出した値だけ後に状態情報を伝送する。詳しくは、無作為に算出した値が３分であれば、データ収集装置３３０は伝送周期に当たる時点から３分が過ぎてから状態情報を伝送する。
【００７４】
図９の実施例において、データ収集装置３３０は第１伝送周期ごとに第１グループに当たる状態情報を伝送する。また、データ収集装置３３０は第１伝送周期より長い第２伝送周期ごとに第２グループに当たる状態情報を伝送する。また、データ収集装置３３０は第２伝送周期より長い第３伝送周期ごとに第２グループに当たる状態情報を伝送する。図９の実施例では第１伝送周期、第２伝送周期及び第３伝送周期が倍数関係にあると表示されているが、本発明の全ての実施例がそれに限ることはない。
【００７５】
図１０は、本発明の他の実施例による状態情報を収集するデータ収集装置の動作を示すフローチャートである。
【００７６】
データ収集装置３３０は状態情報を含む状態情報グループに基づいて状態情報を伝送する。データ収集装置３３０は状態情報を含む状態情報グループに基づく伝送時点に応じて状態情報を伝送する。これは、具体的には以下のような動作による。
【００７７】
データ収集装置３３０は制御部３３１を介して複数の状態情報グループそれぞれの伝送周期に基づいた状態情報伝送時点に状態情報を伝送する。これは、具体的には以下のような動作によって行われる。
【００７８】
データ収集装置３３０は制御部３３１を介して複数の状態情報グループそれぞれの伝送周期に基づいた状態情報伝送時点に当たるのかを判断する（Ｓ７０１）。状態情報伝送時点は図９で説明したように複数のグループそれぞれの特性に基づいた互いに異なる伝送周期であるか、複数のグループそれぞれの特性に基づいた互いに異なる伝送周期内の無作為の値を算出し、その算出した無作為の値に基づくものである。また、複数の状態情報グループそれぞれは図９で説明したようにそれぞれの状態情報グループの特性に応じて互いに異なる伝送周期を有する。そのために、データ収集装置３３０は制御部３３１を介して状態情報グループ基準に応じて状態情報が含まれる状態情報グループを区分する。この際、貯蔵部３３５は状態情報グループ基準を貯蔵し、制御部３３１は貯蔵された状態情報グループ基準に応じて状態情報が含まれる状態情報グループを区分する。他の具体的な実施例において、センシング部３１９は状態情報を伝送する際、状態情報を含む状態情報グループを一緒に伝送する。この際、制御部３３１は伝送された状態情報グループに基づいて状態情報伝送時点に当たるのかを判断する。
【００７９】
データ収集装置３３０は制御部３３１を介して状態情報伝送時点に当たる状態情報を検出する（Ｓ７０３）。
【００８０】
データ収集装置３３０は通信部３３３を介して状態情報伝送時点に当たる状態情報を伝送する（Ｓ７０５）。
【００８１】
データ収集装置３３０はこのような動作を介して限定された通信回線の帯域幅を最大限効率的に使用することができる。また、データ収集装置３３０はこのような動作を介して一つの管理サーバ３５０が最大限多くのデータ収集装置３３０を管理するようにし、初期設置及びメンテナンスのコストを節減することができる。
【００８２】
これまで実施例に説明された特徴、構造、効果などは本発明の少なくとも一つの実施例に含まれるが、必ずしも一つの実施例にのみ限定されるものではない。なお、各実施例で例示された特徴、構造、効果などは実施例が属する分野の通常の知識を有する者によって他の実施例に対しても組み合わされるか変形されて実施されてもよい。よって、このような組み合わせと変形に関する内容は本発明の範囲に含まれると解析すべきである。
【００８３】
これまで実施例を中心に説明したが、これは単なる例示であって本発明を限定するものではなく、本発明が属する分野の通常の知識を有する者であれば本実施例の本質的な特性を逸脱しない範囲内で前記に例示されていない様々な変形と応用が可能であることが分かる。例えば、実施例に具体的に示した各構成要素は変形して実施してもよいものである。そして、このような変形と応用に関する差は、添付した特許請求の範囲で規定する本発明の範囲に含まれると解析されるべきである。
【図１】
0006356109.tif 000002
【図２】
0006356109.tif 000003
【図３】
0006356109.tif 000004
【図４】
0006356109.tif 000005
【図５】
0006356109.tif 000006
【図６】
0006356109.tif 000007
【図７】
0006356109.tif 000008
【図８】
0006356109.tif 000009
【図９】
0006356109.tif 000010
【図１０】
0006356109.tif 000011